(57)【要約】【課題】複数のボタンと透光部を同一面に備えつつ、防水・防塵性を有する小型化したキー装置を提供する。【解決手段】複数の操作ボタンを備えた樹脂シートに、携帯電話機本体表面まで光を案内するための導光材が挿入される導光材受口部と、前記導光材受口部に連結され、該導光材受口部に挿入された前記導光材の端部を覆うように袋状に形成され、前記携帯電話機本体に形成された窪み部に挿入されることにより位置決めされ、前記携帯電話機本体に配置された発光素子からの光を前記導光材に伝達するように透光性材料から構成された袋状部と、を備えることを特徴とする。【選択図】図８
2008301455.tif 000002
【特許請求の範囲】
【請求項１】
複数の操作ボタンを備えるキー装置であって、
携帯電話機本体の装着部に装着され、弾性材から構成される樹脂シートと、
前記樹脂シートに所定間隔で配置された複数の操作ボタンと、
を備え、
前記樹脂シートは、
前記装着部に突設された突起部が挿入されて位置決めされる少なくとも１つの突起受口部と、
前記突起受口部から離間して配置され、前記携帯電話機本体表面まで光を案内するための導光材が挿入される導光材受口部と、
前記導光材受口部に連結され、該導光材受口部に挿入された前記導光材の端部を覆うように袋状に形成され、前記携帯電話機本体に形成された窪み部に挿入されることにより位置決めされ、前記携帯電話機本体に配置された発光素子からの光を前記導光材の前記端部に伝達するように透光性材料から構成された袋状部と、
を備える、
ことを特徴とするキー装置。
【請求項２】
前記樹脂シートは、重ねて配置されている第１と第２のケースの対向面に形成された装着部に装着されており、
前記操作ボタンは、前記樹脂シートの一面に形成され、外側の第１のケースに形成されたボタン口を介して外部に露出し、
前記操作ボタンは、前記樹脂シートの他面から延びる脚部を備え、
内側の第２のケースの収容部には前記脚部を収容する開口が形成されており、
前記脚部の端部に対向し、前記操作ボタンの操作に対応する前記脚部の端部の動きに応じてオン・オフするスイッチと、
をさらに備え、
前記樹脂シートは、前記装着部に圧縮された状態で装着されており、該樹脂シートにより前記スイッチ及び発光素子が外部からシールされている、
ことを特徴とする、請求項１に記載のキー装置。
【請求項３】
請求項１又は２に記載のキー装置を備える、ことを特徴とする携帯電話機。
【発明の詳細な説明】
【技術分野】
【０００１】
本発明は、透光部を有し、防水・防塵機能を備えるキー装置に関する。
【背景技術】
【０００２】
従来の折り畳み式の携帯電話機では、電話機本体の側面に複数の操作ボタンが設けられていた。操作者は、携帯電話機を開くことなく側面部の操作ボタンを押下することにより、所定の操作を行うことができた。
また、同側面部には、操作ボタンに加え、ＬＥＤ（Light Emitting Diode）も設けられていた。操作者は、ＬＥＤの点灯状態を確認することにより、受信時に所望の相手先か否かを特定できる等の携帯電話機の状態を把握することができた（例えば、特許文献１参照。）。
【特許文献１】特開２００２−９９２７号公報（図１）
【発明の開示】
【発明が解決しようとする課題】
【０００３】
特許文献１に開示されている構成では、携帯電話機本体部の側面部に操作ボタンやＬＥＤを露出させるための複数の孔部が必要となるため、該孔部から水、塵等が本体内部に浸入する可能性があった。このため、携帯電話機が、故障することや、誤作動を起こす可能性があった。
【０００４】
また、操作ボタン、ＬＥＤ、及び、キー装置の装着部等の複数の部品が、携帯電話機の同一側面に配置されると、携帯電話機を小型化することが困難であった。
【０００５】
本発明は、上記問題に鑑みてなされたものであり、防水・防塵性を備えつつ、複数の操作ボタンと発光部が同一面に設けられた小型化されたキー装置を提供することを目的とする。
【課題を解決するための手段】
【０００６】
上記目的を達成するため、本発明の第１の観点に係るキー装置は、
複数の操作ボタンを備えるキー装置であって、
携帯電話機本体の装着部に装着され、弾性材から構成される樹脂シートと、
前記樹脂シートに所定間隔で配置された複数の操作ボタンと、
を備え、
前記樹脂シートは、
前記装着部に突設された突起部が挿入されて位置決めされる少なくとも１つの突起受口部と、
前記突起受口部から離間して配置され、前記携帯電話機本体表面まで光を案内するための導光材が挿入される導光材受口部と、
前記導光材受口部に連結され、該導光材受口部に挿入された前記導光材の端部を覆うように袋状に形成され、前記携帯電話機本体に形成された窪み部に挿入されることにより位置決めされ、前記携帯電話機本体に配置された発光素子からの光を前記導光材の前記端部に伝達するように透光性材料から構成された袋状部と、
を備える、
ことを特徴とする。
【０００７】
前記樹脂シートは、重ねて配置されている第１と第２のケースの対向面に形成された装着部に装着されており、
前記操作ボタンは、前記樹脂シートの一面に形成され、外側の第１のケースに形成されたボタン口を介して外部に露出し、
前記操作ボタンは、前記樹脂シートの他面から延びる脚部を備え、
内側の第２のケースの収容部には前記脚部を収容する開口が形成されており、
前記脚部の端部に対向し、前記操作ボタンの操作に対応する前記脚部の端部の動きに応じてオン・オフするスイッチと、
をさらに備え、
前記樹脂シートは、前記装着部に圧縮された状態で装着されており、該樹脂シートにより前記スイッチ及び発光素子が外部からシールされてもよい。
【０００８】
上記目的を達成するため、本発明の第２の観点に係る携帯電話機は、請求項１又は２に記載のキー装置を備えることを特徴とする。
【発明の効果】
【０００９】
本発明によれば、防水・防塵性を維持しつつ、キー装置を小型化することができる。
【発明を実施するための最良の形態】
【００１０】
本発明の実施形態に係るキー装置４とキー装置４を備える携帯電話機１について図１〜図６を参照して説明する。
【００１１】
本実施形態に係るキー装置４を備える携帯電話機１は、図１に示すように、折りたたみ式であり、表示部２と、操作部３と、を備える。
【００１２】
表示部２は、数字や文字等が表示される部分であり、操作部３に対して開閉可能なヒンジ構造により連結される。表示部２は、ディスプレイと、配線基板と、通信用アンテナと、通話用スピーカ等と、を備える。キー装置４が押下された場合には、ディスプレイに文字が表示される等の処理がなされる。
【００１３】
操作部３は、操作者が電話番号や文字等を入力する部分であり、図１に示すように、上ケース３１と、下ケース３２と、キー装置４と、導光材５等と、を備える。
【００１４】
上ケース３１（第１のケース）は、プラスチック等の絶縁性樹脂から構成され、下ケース３２と係合するカバーである。上ケース３１は、図１及び図２に示すように、キー装置４及び導光材５を露出させる複数の孔部を備えるように成型される。
【００１５】
下ケース３２は、後述する中ケース３３等を収納するためのケースである。下ケース３２は、プラスチック等の絶縁性樹脂から構成され、上ケース３１と係合密着するように成型される。
【００１６】
中ケース３３（第２のケース）は、後述する基板３４を収納するためのケースである。中ケース３３は、図４及び図５に示すように、一側面には、キー装置４及び後述する嵌合パッキン６の装着部である袋受口部３３ａと、突起部３３ｂと、嵌合受口部３３ｃと、備え、他側面には、充電用接点部３３ｄを備える。
【００１７】
袋受口部３３ａ（窪み部）は、後述するキー装置４の袋状部４ｃが嵌合される部分であり、また、携帯電話機１の表面まで光を案内するための開口部でもある。
【００１８】
突起部３３ｂは、キー装置４及び嵌合パッキン６を中ケース３３に装着させるための部分である。突起部３３ｂは、キー装置４の突起受口部４ｂ及び嵌合パッキン６の突起受口部６ｂに挿入され、キー装置４及び嵌合パッキン６を固定する。
【００１９】
嵌合受口部３３ｃは、嵌合パッキン６の嵌合部６ｃが挿入される部分である。
【００２０】
充電用接点部３３ｄは、後述する充電台７の接点部と接し、携帯電話機１を充電させるための部分である。充電用接点部３３ｄは、キー装置４の装着部を備える側面の反対側面に設けられ、図９に示すように、携帯電話機１を充電台７に設置した状態でも導光材５が視認される。
【００２１】
キー装置４は、図６に示すように、導光材受口部４ａと、突起受口部４ｂと、袋状部４ｃと、樹脂シート４ｄと、操作ボタン４１と、薄膜シート４２と、を備える。キー装置４は、図２に示すように、中ケース３３に装着され、操作ボタン４１が上ケース３１の外部に露出している。
【００２２】
導光材受口部４ａは、導光材５が挿入される部分である。携帯電話機１の内部に水等が浸入するのを防止するため、導光材受口部４ａは。袋状部４ｃと連結している。
【００２３】
突起受口部４ｂは、中ケース３３の突起部３３ｂが挿入される部分であり、２つ設けられている。
【００２４】
袋状部４ｃは、中ケース３３の袋受口部３３ａに挿入される部分であり、かつ、導光材５の一端を覆う部分である。袋状部４ｃの底面は、光を通過させる透光性を有する。
【００２５】
樹脂シート４ｄは、操作ボタン４１を接着させるためのシートであり、シリコンゴム等の弾性樹脂から構成される。
【００２６】
操作ボタン４１は、操作者が携帯電話機１を操作する時に使用する部品であり、プラスチック等の絶縁性樹脂から構成される。操作ボタン４１は、図６に示すように、ボタン頭部４１ａと、ボタン脚部４１ｂと、を備え、所定距離だけ離間して樹脂シート４ｄに接着される。
【００２７】
ボタン頭部４１ａは、操作者が操作する部分であり、上ケース３１のボタン穴から露出している。ボタン頭部４１ａの上面部には、文字等が印刷されている。
【００２８】
ボタン脚部４１ｂは、後述する接点部３４ａを押下するための部分であり、樹脂シート４ｄを貫通している。
【００２９】
薄膜シート４２は、樹脂シート４ｄを保護するシートであり、シリコンゴム等の弾性樹脂から構成される。薄膜シート４２は、図６に示すように、ボタン頭部４１ａと樹脂シート４ｄに挟持され、接着剤等で貼付される。
【００３０】
導光材５は、光を透過させる部材であり、例えば、アクリル樹脂等により形成される。導光材５は、ほぼ円柱状に形成され、図７に示すように、円柱側面のほぼ中央部に鍔状部を備える。この鍔状部は、導光材５が水平方向にぐらつくのを軽減させる役割を果たす。
【００３１】
嵌合パッキン６は、中ケース３３に装着され、中ケース３３をシールすることにより防水・防塵性を高める部品であり、例えば、シリコンゴム等によって形成される。嵌合パッキン６は、図７に示すように、脚受口部６ａと、突起受口部６ｂと、嵌合部６ｃと、を備える。
【００３２】
脚受口部６ａは、操作ボタン４１のボタン脚部４１ｂが挿入される部分である。脚受口部６ａから中ケース３３の内部に水等が浸入する防止するため、脚受口部６ａは嵌合部６ｃと連結している。
【００３３】
突起受口部６ｂは、中ケース３３の突起部３３ｂが挿入される部分である。
【００３４】
嵌合部６ｃは、中ケース３３の嵌合受口部３３ｃと嵌合する部分であり、かつボタン脚部４１ｂを覆う部分である。
【００３５】
基板３４は、コネクタ等から送られる電気信号を処理する部分であり、図５に示すように、接点部３４ａと、ＬＥＤ３４ｂと、配線板等とを備える。基板３４には、電気絶縁性の基板表面に導電性材料で回路が形成され、コネクタ等の電子部品が複数実装される。
【００３６】
接点部３４ａは、操作ボタン４１の押下を検知する部分であり、図５に示すように、複数の接点を備える。
【００３７】
ＬＥＤ３４ｂは、一般に市販された順方向に電圧を加えた際に発光する半導体素子である。ＬＥＤ３４ｂは、図３〜図５に示すように、袋受口部３３ａから視認される位置になるよう基板３４上に実装される。
【００３８】
充電台７は、携帯電話機１を充電するための置き台であり、電源に接続されるコンセントプラグ部や携帯電話機１との接点部を備える。充電時にはＬＥＤ３４ｂが発光し、図９に示すように、携帯電話機１が充電台７に設置された状態で、導光材５を通じてＬＥＤ３４ｂの発光が視認される。
【００３９】
次に、上記構成の導光材５と嵌合パッキン６を用いてキー装置４を中ケース３３に装着する方法について図７を参照して説明する。
まず、嵌合パッキン６を中ケース３３に装着する。中ケース３３の嵌合受口部３３ｃと嵌合パッキン６の嵌合部６ｃ、及び、中ケース３３の突起部３３ｂと嵌合パッキン６の突起受口部６ｂが合致するよう中ケース３３と嵌合パッキン６の位置調節を行い、各部が合致したら嵌合パッキン６を押圧する。
嵌合パッキン６が押圧されると、嵌合部６ｃが嵌合受口部３３ｃに挿入され、嵌合受光部３３ｃは塞がれる。また、突起部３３ｂが突起受口部６ｂに挿入され、嵌合パッキン６は中ケース３３に密着する。このため、嵌合パッキン６は中ケース３３に固着し、嵌合受口部３３ｃから中ケース３３の内部に水等が浸入するのを防ぐことができる。
【００４０】
続いて、キー装置４を中ケース３３に装着する。キー装置４の袋状部４ｃと中ケース３３の袋受口部３３ａ、キー装置４の突起受口部４ｂと中ケース３３の突起部３３ｂ、及び、操作ボタン４１のボタン脚部４１ｂと嵌合パッキン６の脚受口部６ａが合致するようキー装置４と中ケース３３の位置調節を行い、各部が合致したらキー装置４を押圧する。
キー装置４が押圧されると、袋状部４ｃが袋受口部３３ａに挿入され、キー装置４の一端が中ケース３３に固定される。また、突起部３３ｂが突起受口部４ｂに挿入され、キー装置４の他端が中ケース３３に固定される。このため、キー装置４の両端が固定され、キー装置４が中ケース３３に装着される。
【００４１】
最後に、導光材５を導光材受口部４ａに挿入し、キー装置４が中ケース３３から外れることを防ぐ。導光材５が導光材受口部４ａに挿入されると、導光材５は袋状部４ｃの袋内部の側面を押圧するため、袋状部４ｃと袋受口部３３ａが密着する。このため、キー装置４は、中ケース３３に安定に固定される。
【００４２】
以上説明したように、キー装置４の両端及びほぼ中央部の３箇所が固定され、キー装置４は、中ケース３３に安定に装着される。キー装置４を携帯電話機１に内包する際には、キー装置４は、図８に示すように、上ケース３１から押圧され圧縮された状態で収容され、中ケース３３をシールするため、携帯電話機１の内部に水等が浸入するのを防止できる。また、キー装置４の袋状部４ｃは、キー装置４を中ケース３３に固定する機能と、導光材５が挿入され携帯電話機１の表面に光を案内する機能の２つを備えるため、部品点数が削減され、キー装置４が小型化される。
【００４３】
操作ボタン４１の操作を検知する方法について図８を参照して説明する。
操作者がボタン頭部４１ａを押下すると、連動してボタン脚部４１ｂが下降し、ボタン脚部４１ｂの底面が、嵌合部６ｃの底面を押下する。続いて、嵌合部６ｃの底面が下降し、接点３４ａを押下する。すると、接点３４ａがオンし、オン信号が図示せぬＣＰＵに供給され、ＣＰＵは操作ボタン４１の操作を検知する。
【００４４】
なお、本発明は上記実施の形態に限定されず、種々の変形及び応用が可能である。
【００４５】
操作ボタン４１は、計４個設けられているが、例えば、３個以下、又は５個以上等、任意である。また、操作ボタン４１の配置間隔も任意である。また、上記実施の形態では、操作ボタン４１が樹脂シート４ｄの一面に配置され、そのボタン脚部４１ｂが樹脂シート４ｄを貫通して他面から延びる例を示したが、この発明は、これに限定されない。例えば、樹脂シート４ｄの一面上にボタン頭部４１ａが配置され、他面上の対向する位置にボタン脚部４１ｂを配置するようにしてもよい。
【００４６】
袋状部４ｃの形状は、楕円柱又は多角柱等、任意である。
【００４７】
突起受口部４ｂは、計２個設けられているが、例えば、３個以上としてもよい。ただし、樹脂シート４ｄ上に、バランスよく配置させることが望ましい。
【００４８】
キー装置４は、携帯電話機１だけでなく、ＰＤＡ（Personal Digital Assistant）やノートパソコン等、操作ボタン４１を備えた電子機器に適用される。
【図面の簡単な説明】
【００４９】
【図１】本発明の実施形態に係るキー装置を備える携帯電話機の全体図である。
【図２】本発明の実施形態に係るキー装置を備える携帯電話機の操作部の側面図である。
【図３】本発明の実施形態に係るキー装置を取り付ける前の中ケースの側面図である。
【図４】嵌合パッキンを取り付ける前の中ケースの側面図である。
【図５】基板と中ケースの分解斜視図である。
【図６】本発明の実施形態に係るキー装置の側面図である。
【図７】キー装置を中ケースに取り付ける方法を説明する図である。
【図８】キー装置を携帯電話機に取り付けた状態を示す図である。
【図９】携帯電話機を充電台に設置した状態を示す斜視図である。
【符号の説明】
【００５０】
１…携帯電話機、２…表示部、３…操作部、３１…上ケース、３２…下ケース、３３…中ケース、３３ａ…袋受口部、３３ｂ…突起部、３３ｃ…嵌合受口部、３３ｄ…充電用接点部、３４…基板、３４ａ…接点、３４ｂ…ＬＥＤ、４…キー装置、４ａ…導光材受口部、４ｂ…突起受口部、４ｃ…嵌合部、４ｄ…樹脂シート４１…操作ボタン、４１ａ…ボタン頭部、４１ｂ…ボタン脚部、４２…薄膜シート、５…導光材、６…嵌合パッキン、６ａ…脚受口部、６ｂ…突起受口部、６ｃ…嵌合部、７…充電台
【図１】
2008301455.tif 000003
【図２】
2008301455.tif 000004
【図３】
2008301455.tif 000005
【図４】
2008301455.tif 000006
【図５】
2008301455.tif 000007
【図６】
2008301455.tif 000008
【図７】
2008301455.tif 000009
【図８】
2008301455.tif 000010
【図９】
2008301455.tif 000011